(57)【要約】  シリンジ用フランジ部材は、先端部に注射針が取り付けられるシリンジの外筒に脱着可能に装着され、外筒の先端部に嵌合するための第１の嵌合部と、外筒の基端部に嵌合するための第２の嵌合部と、第１の嵌合部および第２の嵌合部に連結されたフランジ部とを備え、第１の嵌合部を用いて外筒の先端部に装着されたときには、フランジ部が注射針を穿刺する際の補助具となり、第２の嵌合部を用いて外筒の基端部に装着されたときには、フランジ部が外筒を把持する際の補助具となる。
2014033873.tif 000002
【特許請求の範囲】
【請求項１】
先端部に注射針が取り付けられるシリンジの外筒に脱着可能に装着されるシリンジ用フランジ部材であって、
前記外筒の先端部に嵌合するための第１の嵌合部と、
前記外筒の基端部に嵌合するための第２の嵌合部と、
前記第１の嵌合部および前記第２の嵌合部に連結されたフランジ部と
を備え、前記第１の嵌合部を用いて前記外筒の先端部に装着されたときには、前記フランジ部が前記注射針を穿刺する際の補助具となり、前記第２の嵌合部を用いて前記外筒の基端部に装着されたときには、前記フランジ部が前記外筒を把持する際の補助具となることを特徴とするシリンジ用フランジ部材。
【請求項２】
前記第１の嵌合部は、前記外筒の先端部に形成され且つ前記注射針が取り付けられる筒先部に係合することにより前記外筒の先端部に嵌合し、
前記フランジ部は、前記第１の嵌合部が前記外筒の先端部に嵌合したときに前記注射針を通して前記注射針の先端を所定の長さだけ突出させるスリットを有する請求項１に記載のシリンジ用フランジ部材。
【請求項３】
前記第２の嵌合部は、前記外筒の基端部に形成されている外筒フランジに係合することにより前記外筒の基端部に嵌合する請求項１または２に記載のシリンジ用フランジ部材。
【請求項４】
前記第１の嵌合部および前記第２の嵌合部は、それぞれ前記外筒に対して前記外筒の軸方向にほぼ垂直な方向から嵌合する開口部を有する請求項１〜３のいずれか一項に記載のシリンジ用フランジ部材。
【請求項５】
前記第１の嵌合部の開口部と前記第２の嵌合部の開口部は、互いに同一方向を向いている請求項４に記載のシリンジ用フランジ部材。
【請求項６】
前記第１の嵌合部の開口部と前記第２の嵌合部の開口部は、互いに反対方向を向いている請求項４に記載のシリンジ用フランジ部材。
【請求項７】
前記第１の嵌合部の開口部と前記第２の嵌合部の開口部は、互いに直交する方向を向いている請求項４に記載のシリンジ用フランジ部材。
【請求項８】
前記第１の嵌合部を有する第１の分割部材と前記第２の嵌合部を有する第２の分割部材とに分割可能であり、
前記フランジ部は、前記第１の分割部材に形成された第１の分割フランジ部と前記第２の分割部材に形成された第２の分割フランジ部とに分割される請求項１〜４のいずれか一項に記載のシリンジ用フランジ部材。
【請求項９】
前記第１の嵌合部は、前記外筒の先端部に嵌合する際に前記外筒の先端部に装着されている注射針保護キャップを前記外筒から離間させて外すためのキャップ離脱部を有する請求項１〜８のいずれか一項に記載のシリンジ用フランジ部材。
【発明の詳細な説明】
【技術分野】
【０００１】
この発明は、シリンジ用フランジ部材に係り、特に、外筒に装着されてシリンジ操作の補助を行うためのシリンジ用フランジ部材に関する。
【背景技術】
【０００２】
従来から、ワクチン等の投与は皮下注射により行われることが多い、皮下注射を行う際には、患者の薬剤投与部位をつまみ上げ、つまみ上げた薬剤投与部位の裾野箇所に約３０度の角度で注射針を穿刺し、シリンジの押し子を押して薬剤を体内に注入する。注射針の穿刺角度を約３０度とするのは、注射針の先端が筋肉組織にまで到達することを防ぐためである。
ただし、注射針を傾斜させて穿刺するのは、シリンジの姿勢が不安定になりやすく、また、皮膚の柔らかさは、個々の患者によって異なるため、注射針の先端を確実に皮下組織に到達させるには、経験を要していた。【０００３】
そこで、特許文献１には、注射針の穿刺深さを調整することができる穿刺調整具が開示されている。この穿刺調整具は筒状体からなり、注射針を内部に通した状態で基端部を注射針のハブに嵌め込んで使用される。例えば、注射針の先端は、筒状体の先端部よりも所定長さだけ突出しており、皮膚に対してほぼ垂直に注射針を穿刺し、筒状体の先端部が皮膚に接触するまで注射針を刺し込むことで、目標となる穿刺深さを実現することができる。これにより、確実に注射針の先端を皮下組織に到達させて皮下注射を行うことが可能となる。
【先行技術文献】
【特許文献】
【０００４】
【特許文献１】特開２０００−３７４５６号公報
【発明の概要】
【発明が解決しようとする課題】
【０００５】
一般に、注射による薬剤の投与は、原則として医師および看護師により行われるが、リウマチ、糖尿病等の慢性疾患については、患者が自宅等で自ら注射する自己注射が行われる場合がある。自己注射の際にも、上述の特許文献１に記載されたような穿刺調整具は有効なものとなる。
しかしながら、疾患、高齢等のために、手が不自由な患者にとっては、上記の穿刺調整具を使用しても、シリンジの姿勢が不安定になり、皮膚に対してほぼ垂直に注射針を穿刺することが困難になるおそれがある。
また、通常、外筒の基端部には、押し子を押し込む際に指をかけるためのフランジが形成されているが、特に、ガラス製のシリンジでは、外筒の基端部を加熱軟化させてフランジを形成することから、フランジは小さなものが多い。
このため、手が不自由な患者には、押し子を押し込む操作も難しい場合がある。【０００６】
この発明は、このような従来の問題点を解消するためになされたもので、シリンジの操作性を向上させることができるシリンジ用フランジ部材を提供することを目的とする。
【課題を解決するための手段】
【０００７】
この発明に係るシリンジ用フランジ部材は、先端部に注射針が取り付けられるシリンジの外筒に脱着可能に装着されるシリンジ用フランジ部材であって、外筒の先端部に嵌合するための第１の嵌合部と、外筒の基端部に嵌合するための第２の嵌合部と、第１の嵌合部および第２の嵌合部に連結されたフランジ部とを備え、第１の嵌合部を用いて外筒の先端部に装着されたときには、フランジ部が注射針を穿刺する際の補助具となり、第２の嵌合部を用いて外筒の基端部に装着されたときには、フランジ部が外筒を把持する際の補助具となるものである。【０００８】
好ましくは、第１の嵌合部は、外筒の先端部に形成され且つ注射針が取り付けられる筒先部に係合することにより外筒の先端部に嵌合し、フランジ部は、第１の嵌合部が外筒の先端部に嵌合したときに注射針を通して注射針の先端を所定の長さだけ突出させるスリットを有する。
また、第２の嵌合部は、外筒の基端部に形成されている外筒フランジに係合することにより外筒の基端部に嵌合することが好ましい。
さらに、第１の嵌合部および前記第２の嵌合部は、それぞれ外筒に対して外筒の軸方向にほぼ垂直な方向から嵌合する開口部を有することが好ましい。この場合、第１の嵌合部の開口部と第２の嵌合部の開口部は、互いに同一方向、または、互いに反対方向、または、互いに直交する方向を向くように構成することができる。【０００９】
また、第１の嵌合部を有する第１の分割部材と第２の嵌合部を有する第２の分割部材とに分割可能であり、フランジ部は、第１の分割部材に形成された第１の分割フランジ部と第２の分割部材に形成された第２の分割フランジ部とに分割されるように構成してもよい。
第１の嵌合部が、外筒の先端部に嵌合する際に外筒の先端部に装着されている注射針保護キャップを外筒から離間させて外すためのキャップ離脱部を有するように構成することもできる。
【発明の効果】
【００１０】
この発明によれば、第１の嵌合部を用いてシリンジの外筒の先端部に装着されたときには、フランジ部が注射針を穿刺する際の補助具となり、第２の嵌合部を用いてシリンジの外筒の基端部に装着されたときには、フランジ部が外筒を把持する際の補助具となるので、シリンジの操作性を向上させることが可能となる。
【図面の簡単な説明】
【００１１】
【図１】この発明の実施の形態１に係るシリンジ用フランジ部材を示す斜視図である。
【図２】実施の形態１のシリンジ用フランジ部材が装着されるシリンジの構成を示す斜視図である。
【図３】実施の形態１のシリンジ用フランジ部材が外筒の先端部に装着されたシリンジを示す斜視図である。
【図４】実施の形態１のシリンジ用フランジ部材が外筒の先端部に装着されたシリンジを示す正面図である。
【図５】実施の形態１のシリンジ用フランジ部材が外筒の基端部に装着されたシリンジを示す斜視図である。
【図６】実施の形態１のシリンジ用フランジ部材が外筒の基端部に装着されたシリンジを示す正面図である。
【図７】実施の形態２に係るシリンジ用フランジ部材を斜め前方から見た斜視図である。
【図８】実施の形態２に係るシリンジ用フランジ部材を斜め後方から見た斜視図である。
【図９】実施の形態２の変形例に係るシリンジ用フランジ部材を示す斜視図である。
【図１０】実施の形態２の他の変形例に係るシリンジ用フランジ部材を示す斜視図である。
【図１１】実施の形態３に係るシリンジ用フランジ部材を示す斜視図である。
【図１２】実施の形態３に係るシリンジ用フランジ部材に含まれる第１の分割部材を示す斜視図である。
【図１３】実施の形態３に係るシリンジ用フランジ部材に含まれる第２の分割部材を示す斜視図である。
【図１４】実施の形態３に係るシリンジ用フランジ部材を構成する第１の分割部材と第２の分割部材を互いに反対方向を向けて連結した状態を示す斜視図である。
【図１５】実施の形態４に係るシリンジ用フランジ部材を示す斜視図である。
【発明を実施するための形態】
【００１２】
以下、この発明の実施の形態を添付図面に基づいて説明する。
実施の形態１
図１に、実施の形態１に係るシリンジ用フランジ部材１を示す。シリンジ用フランジ部材１は、シリンジの外筒に脱着可能に装着されるもので、第１の嵌合部１１と、第１の嵌合部１１に一体に形成された第２の嵌合部１２と、これら第１の嵌合部１１および第２の嵌合部１２に一体に形成された、ほぼ矩形の平板形状のフランジ部１３から構成されている。
【００１３】
第１の嵌合部１１は、シリンジの外筒の先端部を収容するための所定の高さの嵌合部材１４を有している。嵌合部材１４は、フランジ部１３に対しほぼ垂直な中心軸Ｚに沿って延びる断面Ｕ字形の樋形状を有しており、この樋の開放部分により中心軸Ｚに対して垂直な方向Ａを向いた第１の嵌合部１１の開口部１１ａが形成されている。嵌合部材１４の内部には、それぞれＵ字形の平面形状を有する複数の係合枠１５が形成され、嵌合部材１４の中心軸Ｚ方向の一端部は、シリンジの外筒を受け入れるために開放されており、中心軸Ｚ方向の他端部には、シリンジの注射針を通すスリット１６が形成されている。
【００１４】
第２の嵌合部１２は、シリンジの外筒を収容するための、第１の嵌合部１１の開口部１１ａに隣接して配置された、互いに平行な一対の嵌合壁１７を有している。それぞれの嵌合壁１７は、第１の嵌合部１１の開口部１１ａから方向Ａに沿って延びており、これら一対の嵌合壁１７の間に第１の嵌合部１１の開口部１１ａと同様に方向Ａを向いた開口部１２ａが形成されている。
【００１５】
フランジ部１３は、互いに所定の間隙を介して平行に配置された第１の平板１８と第２の平板１９を有し、第１の平板１８と第１の嵌合部１１の嵌合部材１４と第２の嵌合部１２の一対の嵌合壁１７とが互いに一体に形成されている。
第１の平板１８と第２の平板１９の間には、シリンジ用フランジ部材１をシリンジの外筒の基端部に装着する際に、外筒の基端部に形成された外筒フランジが嵌め込まれる空隙２０が形成されている。
また、第２の平板１９には、シリンジ用フランジ部材１をシリンジの外筒の先端部に装着する際に、シリンジの注射針を通すスリット２１が形成されると共に、シリンジ用フランジ部材１をシリンジの外筒の基端部に装着する際に、シリンジの押し子を通す切り欠き２２が形成されている。
【００１６】
なお、第１の嵌合部１１の嵌合部材１４および係合枠１５は、シリンジの外筒の先端部に嵌合するのに適した大きさを有し、第２の嵌合部１２の一対の嵌合壁１７の間隔およびフランジ部１３の空隙２０は、シリンジの外筒の基端部に嵌合するのに適した大きさを有しているものとする。
【００１７】
このようなシリンジ用フランジ部材１が装着されるシリンジ３の構成を図２に示す。
シリンジ３は、外筒３１と押し子３２と注射針３３とを備えている。外筒３１の先端部３１ａには、他の部分よりも細い形状に縮径された筒先部３４が形成され、この筒先部３４に注射針３３が取り付けられている。一方、外筒３１の基端部３１ｂには、押し子３２を押し込む際に指をかけるための外筒フランジ３５が形成されている。押し子３２は、その先端部が外筒３１の内部にスライド可能に収容され、基端部に押し子フランジ３６が形成されている。
【００１８】
次に、実施の形態１に係るシリンジ用フランジ部材１の作用について説明する。
まず、シリンジ用フランジ部材１をシリンジ３の外筒３１の先端部３１ａに装着する際には、第１の嵌合部１１の嵌合部材１４がフランジ部１３から延びる方向を、シリンジ３の注射針３３から外筒３１の基端部３１ｂに向かう方向に一致させると共に、第１の嵌合部１１の開口部１１ａが外筒３１の先端部３１ａに対向するように、シリンジ３の近傍にシリンジ用フランジ部材１を位置させ、この状態で、外筒３１の軸方向にほぼ垂直な方向から第１の嵌合部１１を外筒３１の先端部３１ａに押圧する。これにより、図３に示されるように、嵌合部材１４の内部に外筒３１の先端部３１ａが収容されると共に嵌合部材１４内の係合枠１５に外筒３１の筒先部３４が係合して、第１の嵌合部１１が外筒３１の先端部３１ａに嵌合する。
【００１９】
このとき、筒先部３４に取り付けられている注射針３３は、嵌合部材１４に形成されたスリット１６およびフランジ部１３の第２の平板１９に形成されたスリット２１を通り、図４に示されるように、フランジ部１３から長さＬだけ突出する。この長さＬが、患者の皮膚表面から皮下組織に至る、例えば４〜６ｍｍとなるように、予めシリンジ用フランジ部材１が形成されている。
すなわち、シリンジ３の外筒３１の先端部３１ａにシリンジ用フランジ部材１を装着することにより、注射針３３の先端をフランジ部１３から長さＬ＝４〜６ｍｍだけ突出させることができる。
【００２０】
このようにしてシリンジ用フランジ部材１をシリンジ３の外筒３１の先端部３１ａに装着した状態で、患者の皮膚に対してほぼ垂直に注射針３３を穿刺し、フランジ部１３の第２の平板１９が皮膚に接触するまで注射針３３を刺し込むことで、自動的に薬剤投与部位の皮下組織に注射針３３の先端を確実に到達させることができる。このとき、皮膚に対して注射針３３を斜めに穿刺するのではなく、垂直に穿刺することで、注射針３３の穿刺操作が容易となる。さらに、フランジ部１３の第２の平板１９を皮膚に接触させることにより、穿刺時におけるシリンジ３の姿勢が安定化される。このため、疾患、高齢等のために手が不自由な患者であっても、穿刺深さおよび穿刺角度を自ら調整することなく、容易に且つ確実に自己注射を行うことが可能となる。
【００２１】
次に、シリンジ用フランジ部材１をシリンジ３の外筒３１の基端部３１ｂに装着する際には、第１の嵌合部１１の嵌合部材１４がフランジ部１３から延びる方向を、シリンジ３の外筒３１の基端部３１ｂから注射針３３に向かう方向に一致させると共に、第２の嵌合部１２の開口部１２ａが外筒３１の基端部３１ｂに対向するように、シリンジ３の近傍にシリンジ用フランジ部材１を位置させ、この状態で、外筒３１の軸方向にほぼ垂直な方向から第２の嵌合部１２を外筒３１の基端部３１ｂに押圧する。これにより、図５および６に示されるように、第２の嵌合部１２の一対の嵌合壁１７の間に外筒３１の基端部３１ｂが収容されると共にフランジ部１３の空隙２０にシリンジ３の外筒フランジ３５が嵌め込まれて、第２の嵌合部１２が外筒３１の基端部３１ｂに嵌合する。
このとき、外筒３１の基端部３１ｂから突出している押し子３２は、フランジ部１３に形成されている切り欠き２２に通される。
【００２２】
このようにしてシリンジ用フランジ部材１をシリンジ３の外筒３１の基端部３１ｂに装着すると、シリンジ３に予め形成されている小さな外筒フランジ３５の代わりにほぼ平板形状のフランジ部１３が外筒３１の基端部３１ｂに配置されるため、使用者は、外筒フランジ３５よりも面積の大きなフランジ部１３に指をかけて外筒３１を把持することができる。例えば、人差し指と中指をフランジ部１３の第１の平板１８にかけると共に、親指を押し子フランジ３６にかけた状態で、外筒３１を把持しつつ押し子３２を押し込むことができる。このため、疾患、高齢等のために手が不自由な患者であっても、シリンジ３を容易に操作することが可能となる。
【００２３】
以上のように、実施の形態１に係るシリンジ用フランジ部材１は、第１の嵌合部１１を用いてシリンジ３の外筒３１の先端部３１ａに装着されたときには、フランジ部１３が、注射針３３を穿刺する際に穿刺深さを自動的に調整すると共にシリンジ３の姿勢を安定化させる補助具として機能し、第２の嵌合部１２を用いてシリンジ３の外筒３１の基端部３１ｂに装着されたときには、フランジ部１３が、外筒３１を把持して押し子３２を操作する際の補助具となる。このため、必要に応じて、第１の嵌合部１１と第２の嵌合部１２のいずれかを選択的に外筒３１の先端部３１ａまたは基端部３１ｂに嵌合することで、シリンジ３の操作性を向上させることが可能となる。
【００２４】
実施の形態２
上記の実施の形態１に係るシリンジ用フランジ部材１では、第１の嵌合部１１と第２の嵌合部１２が、互いに一体に形成されると共に、互いに同一方向Ａを向いた開口部１１ａおよび１２ａを有していたが、これに限るものではなく、フランジ部に連結された第１の嵌合部と第２の嵌合部とを備えていればよい。
例えば、図７および８に示される実施の形態２のシリンジ用フランジ部材４では、シリンジの外筒の先端部に嵌合するための第１の嵌合部４１と、シリンジの外筒の基端部に嵌合するための第２の嵌合部４２とが、互いに独立して、また、互いに反対向きにフランジ部４３上に配置されている。すなわち、第１の嵌合部４１の開口部４１ａの形成方向Ａと第２の嵌合部４２の開口部４２ａの形成方向Ｂとが、互いに反対方向を向いている。
なお、第１の嵌合部４１および第２の嵌合部４２は、それぞれ実施の形態１のシリンジ用フランジ部材１における第１の嵌合部１１および第２の嵌合部１２と同様の構造を有している。
【００２５】
このようなシリンジ用フランジ部材４においても、実施の形態１のシリンジ用フランジ部材１と同様に、第１の嵌合部４１を用いてシリンジの外筒の先端部に装着されると、フランジ部４３が、注射針を穿刺する際に穿刺深さを自動的に調整すると共にシリンジの姿勢を安定化させる補助具となり、第２の嵌合部４２を用いてシリンジの外筒の基端部に装着されたときには、フランジ部４３が、外筒を把持して押し子を操作する際の補助具となる。
さらに、第１の嵌合部４１の開口部４１ａと第２の嵌合部４２の開口部４２ａとが、互いに反対方向を向くことにより、第１の嵌合部４１と第２の嵌合部４２を互いに干渉することなく独立して形成することができ、第１の嵌合部４１および第２の嵌合部４２の構造が簡単化されると共に、シリンジの外筒の先端部あるいは基端部に嵌合しやすくなる。
【００２６】
また、実施の形態１に係るシリンジ用フランジ部材１では、フランジ部１３が長辺と短辺を有する矩形状に形成され、第１の嵌合部１１の開口部１１ａと第２の嵌合部１２の開口部１２ａがフランジ部１３の長辺側に形成されていたが、図９に示されるシリンジ用フランジ部材５のように、第１の嵌合部５１の開口部５１ａと第２の嵌合部５２の開口部５２ａが矩形のフランジ部５３の短辺側に形成されていてもよい。このシリンジ用フランジ部材５では、実施の形態１のシリンジ用フランジ部材１と同様に、第１の嵌合部５１と第２の嵌合部５２が互いに一体に形成され、第１の嵌合部５１の開口部５１ａと第２の嵌合部５２の開口部５２ａが互いに同一方向Ａを向いているが、これら開口部５１ａおよび５２ａの形成方向Ａがフランジ部５３の短辺に直交するように構成されている。
このような構成のシリンジ用フランジ部材５であっても、実施の形態１のシリンジ用フランジ部材１と同様の作用効果を奏することができ、また、フランジ部５３の短辺方向の長さが小さくて済み、シリンジ用フランジ部材の小型化を図ることができる。
【００２７】
さらに、図１０に示されるシリンジ用フランジ部材６のように、第１の嵌合部６１と第２の嵌合部６２を、互いに独立してフランジ部６３上に形成し、第１の嵌合部６１の開口部６１ａと第２の嵌合部６２の開口部６２ａを互いに直交する方向に向けて配置することもできる。第１の嵌合部６１の開口部６１ａの形成方向Ａは、矩形のフランジ部６３の長辺に直交するように設定され、第２の嵌合部６２の開口部６２ａの形成方向Ｂは、矩形のフランジ部６３の短辺に直交するように設定されている。
このような構成のシリンジ用フランジ部材６でも、実施の形態１のシリンジ用フランジ部材１と同様の作用効果を奏することが可能となる。
さらに、第１の嵌合部６１の開口部６１ａと第２の嵌合部６２の開口部６２ａを互いに直交する方向に向けて配置することにより、第１の嵌合部６１と第２の嵌合部６２を互いに干渉することなく独立して形成することができ、第１の嵌合部６１および第２の嵌合部６２の構造が簡単化されると共に、シリンジの外筒の先端部あるいは基端部に嵌合しやすくなる。また、フランジ部６３の短辺方向の長さを小さくして、シリンジ用フランジ部材の小型化を図ることができる。
なお、同様にして、第１の嵌合部の開口部と第２の嵌合部の開口部が、互いに直角以外の所定の角度で交差する方向を向くように、シリンジ用フランジ部材を構成することもできる。
【００２８】
実施の形態３
図１１に、実施の形態３に係るシリンジ用フランジ部材７を示す。このシリンジ用フランジ部材７は、実施の形態１のシリンジ用フランジ部材１と同様に、フランジ部７３と、フランジ部７３の上に配置された第１の嵌合部７１および第２の嵌合部７２を有しているが、第１の分割部材７ａと第２の分割部材７ｂに分割可能に構成されている。
第１の分割部材７ａは、図１２に示されるように、矩形状の第１の分割フランジ部７３ａと、第１の分割フランジ部７３ａの上に配置された第１の嵌合部７１を有し、第１の嵌合部７１が、第１の分割フランジ部７３ａの長辺側の側面Ｓ１と同一面上で開口する開口部７１ａを有している。
【００２９】
一方、第２の分割部材７ｂは、図１３に示されるように、矩形状の第２の分割フランジ部７３ｂと、第２の分割フランジ部７３ｂの上に配置された第２の嵌合部７２を有し、第２の嵌合部７２が、第２の分割フランジ部７３ｂの長辺側の側面Ｓ２と同一面上で開口する開口部７２ａを有している。
シリンジ用フランジ部材７を第１の分割部材７ａと第２の分割部材７ｂに分割した際には、フランジ部７３は、第１の分割フランジ部７３ａと第２の分割フランジ部７３ｂに分割される。
【００３０】
第１の分割部材７ａと第２の分割部材７ｂには、図示しない結合部材が備えられ、この結合部材により、図１１に示されるように、第１の分割フランジ部７３ａの長辺側の側面Ｓ１と第２の分割フランジ部７３ｂの長辺側の側面Ｓ２を互いに接合させた状態で、第１の分割部材７ａと第２の分割部材７ｂを分割可能に結合することができるように構成されている。結合部材は、例えば、側面Ｓ１およびＳ２の一方に形成された爪状部と、他方に形成された係合部とからなり、爪状部を係合部に係合させることで、第１の分割部材７ａと第２の分割部材７ｂを互いに結合させることができる。このような爪状部と係合部との組み合わせを、側面Ｓ１およびＳ２に沿って複数組配置することが好ましい。
【００３１】
この実施の形態３においては、図１２および１３に示されるように、第１の分割部材７ａと第２の分割部材７ｂを互いに分割した状態で、第１の分割部材７ａに形成されている第１の嵌合部７１をシリンジの外筒の先端部に嵌合させた後、図１１に示されるように、結合部材により第１の分割部材７ａに第２の分割部材７ｂを結合させてシリンジを挟み込めば、第１の分割フランジ部７３ａと第２の分割フランジ部７３ｂが一体となって１つのフランジ部を形成し、このフランジ部が注射針を穿刺する際に穿刺深さを自動的に調整すると共にシリンジの姿勢を安定化させる補助具として機能する。あるいは、第２の分割部材７ｂに形成されている第２の嵌合部７２をシリンジの外筒の基端部に嵌合させた後、図１１に示されるように、結合部材により第２の分割部材７ｂに第１の分割部材７ａを結合させれば、一体となった第１の分割フランジ部７３ａと第２の分割フランジ部７３ｂがシリンジの外筒を把持して押し子を操作する際の補助具となる。
【００３２】
第１の嵌合部７１をシリンジの外筒の先端部に嵌合させた際にも、第２の嵌合部７２をシリンジの外筒の基端部に嵌合させた際にも、第１の分割部材７ａと第２の分割部材７ｂとを互いに結合させることで、シリンジの外筒の外周部が双方の分割部材７ａおよび７ｂにより囲まれるため、シリンジに装着されたシリンジ用フランジ部材７は、不測の外力を受けても、シリンジから脱落しにくくなり、より安定したシリンジ操作を行うことが可能となる。
なお、第１の分割部材７ａと第２の分割部材７ｂを互いに結合させずに、それぞれ別個にシリンジの外筒に嵌合させて使用することもできる。例えば、第１の分割部材７ａの第１の嵌合部７１をシリンジの外筒の先端部に嵌合させれば、第１の分割フランジ部７３ａがシリンジ操作の補助具となり、第２の分割部材７ｂの第２の嵌合部７２をシリンジの外筒の基端部に嵌合させれば、第２の分割フランジ部７３ｂがシリンジ操作の補助具となる。さらに、第１の分割部材７ａと第２の分割部材７ｂを互いに分離し、第１の分割部材７ａの第１の嵌合部７１をシリンジの外筒の先端部に嵌合させると共に第２の分割部材７ｂの第２の嵌合部７２をシリンジの外筒の基端部に嵌合させれば、第１の分割部材７ａにより穿刺深さの調整およびシリンジの姿勢の安定化を図ると同時に、第２の分割部材７ｂにより押し子の操作性向上を図ることも可能となる。
【００３３】
また、上述した結合部材は、第１の嵌合部７１の開口部７１ａと同一面を形成する第１の分割フランジ部７３ａの長辺側の側面Ｓ１と第２の嵌合部７２の開口部７１ｂと同一面を形成する第２の分割フランジ部７３ｂの長辺側の側面Ｓ２とを互いに接合させたが、図１４に示されるように、第１の嵌合部７１の開口部７１ａとは反対方向を向いた第１の分割フランジ部７３ａの長辺側の側面Ｓ３と第２の嵌合部７２の開口部７１ｂとは反対方向を向いた第２の分割フランジ部７３ｂの長辺側の側面Ｓ４とを互いに接合させた状態で、第１の分割部材７ａと第２の分割部材７ｂを分割可能に結合するように構成することもできる。このようにしても、結合部材により互いに一体になった第１の分割フランジ部７３ａと第２の分割フランジ部７３ｂが、シリンジを操作する際の補助具となる。
【００３４】
実施の形態４
図１５に、実施の形態４に係るシリンジ用フランジ部材８を示す。このシリンジ用フランジ部材８は、図７および８に示した実施の形態２のシリンジ用フランジ部材４と同様に、フランジ部８３と、フランジ部８３の上に互いに反対方向を向くように配置された第１の嵌合部８１および第２の嵌合部８２を有している。第１の嵌合部８１は、シリンジの外筒の先端部を収容するための所定の高さの嵌合部材８４を有しており、この嵌合部材８４に、キャップ離脱部８５が形成されている。
キャップ離脱部８５は、嵌合部材８４にシリンジの外筒の先端部を嵌合させる際に、外筒の先端部に装着されている注射針保護キャップを外筒から離間させて外すためのものであり、嵌合部材８４に形成された一対の傾斜面により構成されている。
【００３５】
注射針保護キャップは、注射針を保護するために、注射針を覆いつつ外筒の先端部に嵌め込まれており、第１の嵌合部８１の開口部８１ａをシリンジの外筒の先端部に対向させると共に外筒の軸方向にほぼ垂直な方向から第１の嵌合部８１を外筒の先端部に押圧してシリンジの外筒の先端部に嵌合させようとすると、注射針保護キャップの端部が、キャップ離脱部８５を形成する一対の傾斜面に接触する。そして、外筒の先端部に対して第１の嵌合部８１を接近させるにつれて、注射針保護キャップがキャップ離脱部８５を形成する一対の傾斜面に案内されて次第に外筒の先端方向へと移動し、嵌合部材８４内に外筒の先端部が収容されると、注射針保護キャップは、シリンジの外筒の先端部から離間して外れることとなる。
このように、第１の嵌合部８１をシリンジの外筒の先端部に嵌合させると同時に、外筒の先端部から注射針保護キャップが自動的に外れるため、注射針保護キャップを取り外す操作が不要となり、さらにシリンジの操作性が向上する。
【００３６】
実施の形態４では、図７および８に示されるシリンジ用フランジ部材４のように、第１の嵌合部と第２の嵌合部が互いに反対方向を向いたシリンジ用フランジ部材８にキャップ離脱部８５を形成したが、これに限るものではなく、図１あるいは図９に示したように第１の嵌合部と第２の嵌合部が互いに同一方向を向いたシリンジ用フランジ部材、図１０に示したように第１の嵌合部と第２の嵌合部が互いに直交方向を向いたシリンジ用フランジ部材、図１１に示したように第１の嵌合部を有する第１の分割部材と第２の嵌合部を有する第２の分割部材に分割可能なシリンジ用フランジ部材、のそれぞれの第１の嵌合部に対しても同様にしてキャップ離脱部を形成することができる。
ただし、第１の嵌合部と第２の嵌合部が互いに同一方向を向いたシリンジ用フランジ部材では、キャップ離脱部と第２の嵌合部が互いに干渉しないように構成する必要がある。
【００３７】
なお、この発明に係るシリンジ用フランジ部材が装着されるシリンジは、特に限定されるものではなく、１ｍＬ用シリンジの他、０．５ｍＬ、２．２５ｍＬ、３ｍＬ等の各種のシリンジに対応することができる。容量ごとに、ＩＳＯ（国際標準化機構）によりシリンジの寸法が規格化されているため、装着対象となるシリンジの規格値に合わせて、この発明のシリンジ用フランジ部材を構成すればよい。
【符号の説明】
【００３８】
１，４，５，６，７，８  シリンジ用フランジ部材、１１，４１，５１，６１，７１，８１  第１の嵌合部、１１ａ，１１ｂ，４１ａ，４１ｂ，５１ａ，５１ｂ，６１ａ，６１ｂ，７１ａ，７１ｂ，８１ａ  開口部、１２，４２，５２，６２，７２，８２  第２の嵌合部、１３，４３，５３，６３，７３，８３  フランジ部、１４，８４  嵌合部材、１５  係合枠、１６，２１  スリット、１７  嵌合壁、１８  第１の平板、１９  第２の平板、２０  空隙、２２  切り欠き、３  シリンジ、３１  外筒、３１ａ先端部、３１ｂ  基端部、３２  押し子、３３  注射針、３４  筒先部、３５  外筒フランジ、３６  押し子フランジ、７ａ  第１の分割部材、７ｂ  第２の分割部材、７３ａ  第１の分割フランジ部、７３ｂ  第２の分割フランジ部、Ｓ１，Ｓ２，Ｓ３，Ｓ４  側面、８５  キャップ離脱部、Ｚ  嵌合部材の中心軸、Ａ，Ｂ  開口部の形成方向、Ｌ  注射針の突出長さ。
【図１】
2014033873.tif 000003
【図２】
2014033873.tif 000004
【図３】
2014033873.tif 000005
【図４】
2014033873.tif 000006
【図５】
2014033873.tif 000007
【図６】
2014033873.tif 000008
【図７】
2014033873.tif 000009
【図８】
2014033873.tif 000010
【図９】
2014033873.tif 000011
【図１０】
2014033873.tif 000012
【図１１】
2014033873.tif 000013
【図１２】
2014033873.tif 000014
【図１３】
2014033873.tif 000015
【図１４】
2014033873.tif 000016
【図１５】
2014033873.tif 000017
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
先端部に注射針が取り付けられるシリンジの外筒に脱着可能に装着されるシリンジ用フランジ部材であって、
前記外筒の先端部に嵌合するための第１の嵌合部と、
前記外筒の基端部に嵌合するための第２の嵌合部と、
前記第１の嵌合部および前記第２の嵌合部に連結されたフランジ部と
を備え、前記第１の嵌合部を用いて前記外筒の先端部に装着されたときには、前記フランジ部が前記注射針を穿刺する際の補助具となり、前記第２の嵌合部を用いて前記外筒の基端部に装着されたときには、前記フランジ部が前記外筒を把持する際の補助具となり、
前記第１の嵌合部を前記外筒の先端部に嵌合させることにより前記フランジ部から前記注射針の先端が突出し、
前記第２の嵌合部は、前記外筒の基端部に形成されている外筒フランジに係合することにより前記外筒の基端部に嵌合することを特徴とするシリンジ用フランジ部材。
【請求項２】
前記第１の嵌合部は、前記外筒の先端部に形成され且つ前記注射針が取り付けられる筒先部に係合することにより前記外筒の先端部に嵌合し、
前記フランジ部は、前記第１の嵌合部が前記外筒の先端部に嵌合したときに前記注射針を通して前記注射針の先端を所定の長さだけ突出させるスリットを有する請求項１に記載のシリンジ用フランジ部材。
【請求項３】
前記第１の嵌合部および前記第２の嵌合部は、それぞれ前記外筒に対して前記外筒の軸方向にほぼ垂直な方向から嵌合する開口部を有する請求項１または２に記載のシリンジ用フランジ部材。
【請求項４】
前記第１の嵌合部の開口部と前記第２の嵌合部の開口部は、互いに同一方向を向いている請求項３に記載のシリンジ用フランジ部材。
【請求項５】
前記第１の嵌合部の開口部と前記第２の嵌合部の開口部は、互いに反対方向を向いている請求項３に記載のシリンジ用フランジ部材。
【請求項６】
前記第１の嵌合部の開口部と前記第２の嵌合部の開口部は、互いに直交する方向を向いている請求項３に記載のシリンジ用フランジ部材。
【請求項７】
前記第１の嵌合部を有する第１の分割部材と前記第２の嵌合部を有する第２の分割部材とに分割可能であり、
前記フランジ部は、前記第１の分割部材に形成された第１の分割フランジ部と前記第２の分割部材に形成された第２の分割フランジ部とに分割される請求項１〜３のいずれか一項に記載のシリンジ用フランジ部材。
【請求項８】
前記第１の嵌合部は、前記外筒の先端部に嵌合する際に前記外筒の先端部に装着されている注射針保護キャップを前記外筒から離間させて外すためのキャップ離脱部を有する請求項１〜７のいずれか一項に記載のシリンジ用フランジ部材。
【手続補正２】
【補正対象書類名】明細書
【補正対象項目名】０００７
【補正方法】変更
【補正の内容】
【０００７】
この発明に係るシリンジ用フランジ部材は、先端部に注射針が取り付けられるシリンジの外筒に脱着可能に装着されるシリンジ用フランジ部材であって、外筒の先端部に嵌合するための第１の嵌合部と、外筒の基端部に嵌合するための第２の嵌合部と、第１の嵌合部および第２の嵌合部に連結されたフランジ部とを備え、第１の嵌合部を用いて外筒の先端部に装着されたときには、フランジ部が注射針を穿刺する際の補助具となり、第２の嵌合部を用いて外筒の基端部に装着されたときには、フランジ部が外筒を把持する際の補助具となり、第１の嵌合部を外筒の先端部に嵌合させることによりフランジ部から注射針の先端が突出し、第２の嵌合部は、外筒の基端部に形成されている外筒フランジに係合することにより外筒の基端部に嵌合するものである。
【手続補正３】
【補正対象書類名】明細書
【補正対象項目名】０００８
【補正方法】変更
【補正の内容】
【０００８】
好ましくは、第１の嵌合部は、外筒の先端部に形成され且つ注射針が取り付けられる筒先部に係合することにより外筒の先端部に嵌合し、フランジ部は、第１の嵌合部が外筒の先端部に嵌合したときに注射針を通して注射針の先端を所定の長さだけ突出させるスリットを有する。
また、第１の嵌合部および前記第２の嵌合部は、それぞれ外筒に対して外筒の軸方向にほぼ垂直な方向から嵌合する開口部を有することが好ましい。この場合、第１の嵌合部の開口部と第２の嵌合部の開口部は、互いに同一方向、または、互いに反対方向、または、互いに直交する方向を向くように構成することができる。
【国際調査報告】
2014033873.tif 000018
2014033873.tif 000019